(57)【要約】【課題】本発明は、常時の保管時には、場所をとらず簡単に収納・保管することができ、災害発生時、イベント開催時などの使用時には、フレキシブル太陽電池を設置したテントを簡単に運搬・組立・解体することのできるテント天幕形成部材、該テント天幕形成部材を用いて形成されたテント天幕を備えたテントおよび該テント天幕形成部材の使用方法を提供することを課題とする。【解決手段】フレキシブル太陽電池を片方の表面に固定したテント用生地を、オープンファスナーにより連結してテント天幕を形成することにより、常時の保管時には場所をとらず簡単に収納することができ、災害発生時などの使用時には簡単に、フレキシブル太陽電池を設置したテント天幕を備えたテントを組立てることができる。【選択図】図１
2019044418.tif 000002
【特許請求の範囲】
【請求項１】
オープンファスナーによって連結されテント天幕を形成するテント天幕形成部材であって、
テント用生地、
該テント用生地の片方の表面に固定されたフレキシブル太陽電池、および
該テント用生地の周囲の一部に設けられた、オープンファスナーの一対のファスナーテープの一方
を備えることを特徴とする、テント天幕形成部材。
【請求項２】
上記テント用生地が長方形の形状をしており、
該テント用生地の長辺の少なくとも一方に、オープンファスナーの一対のファスナーテープの一方が設けられていることを特徴とする、請求項１に記載のテント天幕形成部材。
【請求項３】
上記テント天幕形成部材が、テント用生地の長辺の両方に設けられた、オープンファスナーの一対のファスナーテープの一方を備えることを特徴とする、請求項２に記載のテント天幕形成部材。
【請求項４】
上記テント天幕形成部材が、テント用生地の短辺の少なくとも一方に設けられた、オープンファスナーの一対のファスナーテープの一方を備えることを特徴とする、請求項２または３に記載のテント天幕形成部材。
【請求項５】
上記テント天幕形成部材が、テント用生地の短辺の両方に設けられた、オープンファスナーの一対のファスナーテープの一方を備えることを特徴とする、請求項２〜４のいずれかに記載のテント天幕形成部材。
【請求項６】
上記テント用生地と上記フレキシブル太陽電池の周辺部との境界部には、雨水が上記フレキシブル太陽電池の後方に浸入するのを防止するために、防水テープが貼着されていることを特徴とする、請求項１〜５のいずれかに記載のテント天幕形成部材。
【請求項７】
上記オープンファスナーが防水オープンファスナーであることを特徴とする、請求項１〜６のいずれかに記載のテント天幕形成部材。
【請求項８】
上記オープンファスナーの一対のファスナーテープの一方と、上記フレキシブル太陽電池との間に一辺が固定されており、オープンファスナーにより隣合う他のテント天幕形成部材と連結された際に、上記オープンファスナーの連結部を覆うことのできる長方形の防水部材が設けられていることを特徴とする、請求項１〜７のいずれかに記載のテント天幕形成部材。
【請求項９】
請求項１〜８のいずれかに記載のテント天幕形成部材をオープンファスナーにより連結して形成されたテント天幕を、天幕自体として有するテント。
【請求項１０】
請求項１〜８のいずれかに記載のテント天幕形成部材をオープンファスナーにより連結して形成されたテント天幕を、通常のテントの天幕上に被せたテント。
【請求項１１】
上記テント天幕の形状が、片流れ形であることを特徴とする、請求項９または１０に記載のテント。
【請求項１２】
請求項１〜８のいずれかに記載のテント天幕形成部材を用いて太陽光発電を行い、電源として利用することを特徴とする、テント天幕形成部材の使用方法。
【発明の詳細な説明】
【技術分野】
【０００１】
本発明は、フレキシブル太陽電池を設置したテント天幕を形成するテント天幕形成部材、該テント天幕形成部材を用いて形成されたテント天幕を備えたテントおよび該テント天幕形成部材の使用方法に関する。
【背景技術】
【０００２】
太陽電池として、ガラスを基材とするリジットな太陽電池と、ポリイミド系、ポリエステル系耐熱高分子などの柔軟性を有する材料を基材とするフレキシブルな太陽電池（以下、「フレキシブル太陽電池」という。）が知られており、近年、薄型化や軽量化による運搬、施工の容易さや、衝撃に強い点から、フレキシブル太陽電池が注目されるようになってきている。
【０００３】
フレキシブル太陽電池は、ポリイミド系、ポリエステル系耐熱高分子などの柔軟性を有する材料からなるフレキシブル基材上に、光が照射されると電流を生じる機能を有するシリコン半導体や化合物半導体などからなる光電変換層などを薄膜状に積層することにより製造される。更に、必要に応じて太陽電池素子の上下面に封止シートを積層して封止される。
【０００４】
フレキシブル太陽電池は、軽量で、可撓性を有することから、パラソル、テントのような移動運搬可能にして所望箇所に立設できる日よけ体の日当たり面（特許文献１）、テント建物の屋根部分（特許文献２および３）などに設置して利用することが行われている。
【先行技術文献】
【特許文献】
【０００５】
【特許文献１】特開平８−１５８７０２号公報
【特許文献２】特開２００９−１８００３４号公報
【特許文献３】特開２０１１−０６０７９４号公報
【発明の概要】
【発明が解決しようとする課題】
【０００６】
上記のように、フレキシブル太陽電池をテント建物の日当たり面・屋根部分などに設置することは一般に行われているものの、災害発生時に使用する防災テント、運動会などのイベントに使用するイベント用テントなどのように常時は保管場所に保管されており、使用時に運搬・組立てて利用するようなテントにおいては、テントの保管、運搬、組立、解体が簡単に行えないという欠点がある。
【０００７】
例えば、図９に示すテント１０１は、切妻形のテント天幕部１０２およびテント側幕部１０４からなり、該テント天幕部１０２の両斜面に、フレキシブル太陽電池１０３（３．５ｋｇ／枚）をそれぞれ８枚ずつ、合計１６枚を設置したものであるが、このようなテント１０１では、テント天幕部１０２の重量が、テント天幕部１０２自体の重量（１３ｋｇ程度）を加えると、７０ｋｇ程度と重くなり、また嵩高くなるため、各テントの保管、運搬、組立、解体が簡単に行えないという欠点を有する。
【０００８】
本発明は、常時の保管時には、場所をとらず簡単に収納・保管することができ、災害発生時、イベント開催時などの使用時には、フレキシブル太陽電池を設置したテントを簡単に運搬・組立・解体することのできるテント天幕形成部材、該テント天幕形成部材を用いて形成されたテント天幕を備えたテントおよび該テント天幕形成部材の使用方法を提供することを課題とする。
【課題を解決するための手段】
【０００９】
本発明者らは、フレキシブル太陽電池を片方の表面に固定したテント用生地を、オープンファスナーにより連結してテント天幕を形成することにより、常時の保管時には、場所をとらず簡単に収納・保管することができ、災害発生時、イベント開催時などの使用時には、フレキシブル太陽電池を設置したテント天幕を備えたテントを簡単に運搬・組立・解体することができることを見出し、本発明を成したものである。
【００１０】
本発明の要旨を以下に示す。
（１）オープンファスナーによって連結されテント天幕を形成するテント天幕形成部材であって、テント用生地、該テント用生地の片方の表面に固定されたフレキシブル太陽電池、および該テント用生地の周囲の一部に設けられた、オープンファスナーの一対のファスナーテープの一方を備えることを特徴とする、テント天幕形成部材。
（２）上記テント用生地が長方形の形状をしており、該テント用生地の長辺の少なくとも一方に、オープンファスナーの一対のファスナーテープの一方が設けられていることを特徴とする、（１）に記載のテント天幕形成部材。
（３）上記テント天幕形成部材が、テント用生地の長辺の両方に設けられた、オープンファスナーの一対のファスナーテープの一方を備えることを特徴とする、（２）に記載のテント天幕形成部材。
（４）上記テント天幕形成部材が、テント用生地の短辺の少なくとも一方に設けられた、オープンファスナーの一対のファスナーテープの一方を備えることを特徴とする、（２）または（３）に記載のテント天幕形成部材。
（５）上記テント天幕形成部材が、テント用生地の短辺の両方に設けられた、オープンファスナーの一対のファスナーテープの一方を備えることを特徴とする、（２）〜（４）のいずれかに記載のテント天幕形成部材。
（６）上記テント用生地と上記フレキシブル太陽電池の周辺部との境界部には、雨水が上記フレキシブル太陽電池の後方に浸入するのを防止するために、防水テープが貼着されていることを特徴とする、（１）〜（５）のいずれかに記載のテント天幕形成部材。
（７）上記オープンファスナーが防水オープンファスナーであることを特徴とする、（１）〜（６）のいずれかに記載のテント天幕形成部材。
（８）上記オープンファスナーの一対のファスナーテープの一方と、上記フレキシブル太陽電池との間に一辺が固定されており、オープンファスナーにより隣合う他のテント天幕形成部材と連結された際に、上記オープンファスナーの連結部を覆うことのできる長方形の防水部材が設けられていることを特徴とする、（１）〜（７）のいずれかに記載のテント天幕形成部材。
（９）（１）〜（８）のいずれかに記載のテント天幕形成部材をオープンファスナーにより連結して形成されたテント天幕を、天幕自体として有するテント。
（１０）（１）〜（８）のいずれかに記載のテント天幕形成部材をオープンファスナーにより連結して形成されたテント天幕を、通常のテントの天幕上に被せたテント。
（１１）上記テント天幕の形状が、片流れ形であることを特徴とする、（９）または（１０）に記載のテント。
（１２）（１）〜（８）のいずれかに記載のテント天幕形成部材を用いて太陽光発電を行い、電源として利用することを特徴とする、テント天幕形成部材の使用方法。
【発明の効果】
【００１１】
本発明のテント天幕形成部材は、常時の保管時には、場所をとらず簡単に収納・保管することができ、災害発生時、イベント開催時などの使用時には、フレキシブル太陽電池をテント天幕部に備えたテントを簡単に運搬・組立・解体することができるという優れた効果を発揮する。
【００１２】
また、本発明の該テント天幕形成部材を用いて形成されたテント天幕は、テントの天幕本体として、または通常のテントの天幕上に被せて使用することができ、常時の保管時には、場所をとらず簡単に収納・保管することができ、災害発生時、イベント開催時などの使用時には、フレキシブル太陽電池をテント天幕部に設置したテントを簡単に運搬・組立・解体することができると共に、フレキシブル太陽電池により必要な電源を確保できるという優れた効果を発揮する。
【００１３】
また、本発明のテント天幕形成部材は、テント天幕を形成しない状態（すなわち、オープンファスナーで連結されていない状態）でも、太陽光発電を行い、電源として利用することができるという優れた効果を発揮する。
【図面の簡単な説明】
【００１４】
【図１】本発明のテント天幕形成部材の第１の実施形態を示す斜視図である。
【図２】本発明のテント天幕形成部材の第２の実施形態を示す斜視図である。
【図３】本発明のテント天幕形成部材の第３の実施形態を示す斜視図である。
【図４】本発明のテント天幕形成部材を、オープンファスナーにより連結して形成されたテント天幕を備えたテントの第１の実施形態を示す斜視図である。
【図５】本発明のテント天幕形成部材を、オープンファスナーにより連結して形成されたテント天幕を備えたテントの第２の実施形態を示す斜視図である。
【図６】本発明のテント天幕形成部材が備えるオープンファスナーを示す概略図である。
【図７】片流れ形のテント天幕の形状を示す模式図である。
【図８】切妻形のテント天幕の形状を示す模式図である。
【図９】従来の、フレキシブル太陽電池を設置したテントを示す模式図である。
【発明を実施するための形態】
【００１５】
以下、本発明のテント天幕形成部材、該テント天幕形成部材を用いて形成されたテント天幕を備えたテントおよび該テント天幕形成部材の使用方法について詳細に説明する。
【００１６】
＜テント天幕形成部材＞
本発明のテント天幕形成部材は、テント用生地の片方の表面にフレキシブル太陽電池を固定すると共に、該テント用生地の周囲の一部にオープンファスナーの一対のファスナーテープの一方を設け、隣合う他のテント天幕形成部材をオープンファスナーにより連結してテント天幕を形成するものである。
【００１７】
テント天幕形成部材のテント用生地の形状は、生産コスト、収納・保管・運搬・組立・解体のしやすさから、長方形の形状とするのが好ましい。
【００１８】
本発明のテント天幕形成部材は、長方形の形状をしたテント用生地の片方の表面にフレキシブル太陽電池を固定すると共に、該テント用生地の長辺、短辺の必要な箇所にオープンファスナーの一対のファスナーテープの一方を設け、隣合う他のテント天幕形成部材をオープンファスナーにより連結してテント天幕を形成するものとするのが好ましい。
【００１９】
テント天幕形成部材のテント用生地としては、一般にテント用生地として用いられる、ポリエステル繊維布、ガラス繊維布などの布に、塩化ビニル樹脂、アクリル樹脂、ポリエステル樹脂などの熱融着可能な熱可塑性合成樹脂層を設けたものを用いることができる。
【００２０】
テント天幕形成部材に設けられるフレキシブル太陽電池は、ポリイミド系、ポリエステル系耐熱高分子などの柔軟性を有する材料からなるフレキシブル基材上に、光が照射されると電流を生じる機能を有するシリコン半導体や化合物半導体などからなる光電変換層などを薄膜状に積層し、必要に応じて封止シートを積層して封止したものである。フレキシブル太陽電池としては、エコホールディングス株式会社から販売されているPowerFLEX（パワーフレックス）などの一般に市販されているものを用いることができる。
【００２１】
複数枚のテント天幕形成部材を連結するためのオープンファスナーとしては、図６に示すような一般的なオープンファスナーを用いることができる。
【００２２】
図６を用いてオープンファスナーについて説明する。
【００２３】
オープンファスナーは、最下部の留め具が外れて全開できるオープンファスナーであり、スライダーを一番下まで下ろすことで、左右に分離することができ、ジャンパー、コートなどに用いられる。オープンファスナー１０の端部には、一対のファスナーテープ４，４’（５，５’）の連結および分離を可能とする開離嵌挿具１１が取り付けられる。開離嵌挿具１１は、箱棒１１ａ、箱体１１ｃおよび蝶棒１１ｂから構成されており、これがファスナーエレメント列１２の下端に連接して取り付けられる。
【００２４】
テント天幕形成部材を、隣合う他のテント天幕形成部材と連結する際には、次の手順で、一対のファスナーテープ４，４’（５，５’）を連結する。
１）一対のファスナーテープ４，４’（５，５’）を合わせる。
２）スライダー１３を箱体１１ｃにぴったり付くまで下げる。
３）蝶棒１１ｂを根元までしっかり差し込む。
４）片方の手で蝶棒１１ｂ側を押さえたまま、他方の手でスライダー１３を引き上げる。
【００２５】
本発明のテント天幕形成部材は長方形の形状をしており、オープンファスナーを用いて、隣合う他のテント天幕形成部材と連結してテント天幕を形成するものとするのが好ましく、テント天幕におけるテント天幕形成部材の位置に応じて、連結が必要とされるテント用生地の長辺、短辺に、オープンファスナーの一対のファスナーテープの一方を設けることができる。
【００２６】
図１に示す本発明のテント天幕形成部材の第１の実施形態は、長方形の形状をしたテント用生地２の片方の表面にフレキシブル太陽電池３を固定し、テント用生地２の長辺の両方に、オープンファスナーの一対のファスナーテープの一方４，４’を設けたテント天幕形成部材１である。このテント天幕形成部材１を、オープンファスナーにより横方向に次々と連結していくことにより、図４に示すようなテント天幕７を形成することができる。図４のテント天幕７を形成する左側のテント天幕形成部材１および右側のテント天幕形成部材１においては、それぞれ、左側の長辺および右側の長辺に、オープンファスナーの一対のファスナーテープの一方を設ける必要はない。
【００２７】
図２に示す本発明のテント天幕形成部材の第２の実施形態は、長方形の形状をしたテント用生地２の片方の表面にフレキシブル太陽電池３を固定し、テント用生地２の長辺の両方および短辺の両方に、それぞれ、オープンファスナーの一対のファスナーテープの一方４，４’および５，５’を設けたテント天幕形成部材１である。このテント天幕形成部材１を、オープンファスナーにより横方向だけでなく、縦方向にも連結することにより、図５に示すようなテント天幕７を形成することができる。図５のテント天幕７において、テント天幕７の上面の四辺に対応するテント天幕形成部材１の長辺および／または短辺には、オープンファスナーの一対のファスナーテープの一方を設ける必要はない。
【００２８】
テント天幕形成部材の連結に用いるオープンファスナーとしては、テント天幕の防水性を確実に確保する観点からは、水密・気密オープンファスナー、簡易防水オープンファスナーなどの防水性を有するオープンファスナーを用いることが好ましい。しかし、防水性を有するオープンファスナーは通常のオープンファスナーに比べ、一般的に、開閉に力を要する、価格が高いなどの欠点を有している。
【００２９】
図３に示す本発明のテント天幕形成部材の第３の実施形態は、テント天幕のオープンファスナーによる連結部の防水性を高めるもので、オープンファスナーの一対のファスナーテープの一方４，４’と、フレキシブル太陽電池３との間に一辺が固定されており、オープンファスナーにより隣合う他のテント天幕形成部材と連結された際に、オープンファスナーの連結部を覆うことのできる長方形の防水部材６，６’を設けたテント天幕形成部材１である。第３実施形態のテント天幕形成部材１では、防水部材６，６’によってテント天幕のオープンファスナーによる連結部の防水性を高めることができるため、敢えて、開閉に力を要する、価格が高いなどの欠点を有する防水性を有するオープンファスナーを用いなくても、必要な防水性を確保することができる。
【００３０】
テント天幕形成部材において、テント用生地の片方の表面にフレキシブル太陽電池を固定する手段としては、接着剤を用いた接着、糸を用いた縫い付けなど公知の手段を用いることができる。テント用生地とフレキシブル太陽電池の周辺部との境界部から雨水がフレキシブル太陽電池の後方に浸入すると、フレキシブル太陽電池の寿命が短くなる、配線がショートするなどのトラブルの発生が危惧されるため、これを防止するために、この境界部には防水テープを貼着することが好ましい。
【００３１】
＜テント天幕形成部材を用いて形成されたテント天幕を備えたテント＞
本発明のテント天幕は、上記のようなテント天幕形成部材をオープンファスナーにより連結して形成され、テントの天幕自体として使用することができ、また、通常のテントの天幕上に被せて使用することができる。
【００３２】
テント天幕の形状としては、切妻形、片流れ形、寄棟形、方形形など形状を適宜採用することができるが、太陽光の受光量を大きくする観点からは、図８に示すような切妻形よりも、図７に示すような片流れ形を採用するのが好ましい。
【００３３】
また、本発明のテント天幕を備えたテントでは、テント天幕のみを設けても良いが、図９に示す従来例のように、テント天幕部１０２と共に、窓、出入口、庇などを適宜設けたテント側幕部１０４を必要に応じ設けることができる。
【００３４】
＜テント天幕形成部材の使用方法＞
本発明のテント天幕形成部材は、テント天幕を形成しない状態でも、太陽光発電を行い、電源として利用することができるので、特に、災害発生時に必要とされる電灯、ラジオなどの電気機器の電源として有効に活用できる。
【００３５】
以上に説明したように、本発明のテント天幕形成部材は、常時の保管時には、場所をとらず簡単に収納・保管することができ、災害発生時、イベント開催時などの使用時には、フレキシブル太陽電池をテント天幕部に設置したテントを簡単に運搬・組立・解体することができるという優れた効果を発揮するものである。また、本発明の該テント天幕形成部材を用いて形成されたテント天幕は、テントの天幕本体として、または通常のテントの天幕上に被せて使用することができ、常時の保管時には、場所をとらず簡単に収納・保管することができ、災害発生時、イベント開催時などの使用時には、フレキシブル太陽電池をテント天幕部に設置したテントを簡単に運搬・組立・解体することができると共に、フレキシブル太陽電池により必要な電源を確保できるという優れた効果を発揮する。また、本発明のテント天幕形成部材は、テント天幕を形成しない状態でも、太陽光発電を行い、電源として利用することができるという優れた効果を発揮する。
【００３６】
本発明のテント天幕形成部材は、特に災害発生時に使用する防災用テントとして用いた場合には、常時の保管時には、場所をとらず保管場所に簡単に収納・保管することができ、災害発生時には簡単に運搬、組立ができ、移設時にも簡単に解体、運搬、組立ができると共に、フレキシブル太陽電池により必要な電源を確保でき、また、テント天幕を形成しない状態でも災害発生時に必要とされる電灯、ラジオなどの電気機器の電源として有効に活用できるという実用上極めて優れた効果を発揮する。
【符号の説明】
【００３７】
１        テント天幕形成部材
２        テント用生地
３        フレキシブル太陽電池
４，４’  長辺の一対のファスナーテープ
５，５’  短辺の一対のファスナーテープ
６，６’  防水部材
７        テント天幕
１０      オープンファスナー
１１      開離嵌挿具
１１ａ    箱棒
１１ｂ    蝶棒
１１ｃ    箱体
１２      ファスナーエレメント列
１３      スライダー
１０１    テント
１０２    テント天幕部
１０３    フレキシブル太陽電池
１０４    テント側幕部
【図１】
2019044418.tif 000003
【図２】
2019044418.tif 000004
【図３】
2019044418.tif 000005
【図４】
2019044418.tif 000006
【図５】
2019044418.tif 000007
【図６】
2019044418.tif 000008
【図７】
2019044418.tif 000009
【図８】
2019044418.tif 000010
【図９】
2019044418.tif 000011